【手続補正書】
【提出日】令和3年10月6日(2021.10.6)
【手続補正１】
【補正対象書類名】特許請求の範囲
【補正対象項目名】全文
【補正方法】変更
【補正の内容】
【特許請求の範囲】
【請求項１】
呼吸器疾患に対する治療を提供する呼吸治療装置であって、
第１の電力および第２の電力のうち１つ以上を受容する電力入力回路であって、前記第１の電力は、前記呼吸治療装置と接続するように適合された低電力電源から得られ、前記第２の電力は、前記呼吸治療装置と接続するように適合された高電力電源から得られる、電力入力回路と、
前記電力入力回路へ接続され、前記低電力電源および前記高電力電源のうち少なくとも１つを検出するように構成されるコントローラであって、前記低電力電源および前記高電力電源のうちの１つの検出に基づいて前記呼吸治療装置の第１の動作モードおよび前記呼吸治療装置の第２の動作モードを選択的に起動させるように構成され、前記第１の動作モードは非治療モードであり、前記第２の動作モードは治療モードである、コントローラと
を含む呼吸治療装置。
【請求項２】
前記電力入力回路は、第１の供給インターフェースと、第２の供給インターフェースとを含み、前記第１の供給インターフェースおよび前記第２の供給インターフェースのうち少なくとも１つは、無線電力インターフェースを含む、請求項１に記載の呼吸治療装置。
【請求項３】
前記電力入力回路は、前記低電力電源および前記高電力電源へ接続するように構成された単一の供給インターフェースを含む、請求項１に記載の呼吸治療装置。
【請求項４】
前記単一の供給インターフェースは、取り外し可能な電力ケーブル用の連結器を含む、請求項３に記載の呼吸治療装置。
【請求項５】
前記単一の供給インターフェースは、前記取り外し可能な電力ケーブルを通じたデータ通信用にさらに構成される、請求項４に記載の呼吸治療装置。
【請求項６】
前記連結器は、ユニバーサルシリアルバス（ＵＳＢ）コネクタである、請求項５に記載の呼吸治療装置。
【請求項７】
前記第１の動作モードは、前記呼吸治療装置のプロセッサに対するデータの送信および／または受信のための通信モードを含む、請求項１〜６のいずれか一項に記載の呼吸治療装置。
【請求項８】
前記通信モードは、１つ以上の動作制御設定を前記呼吸治療装置のメモリ内に転送させる設定動作を含む、請求項７に記載の呼吸治療装置。
【請求項９】
前記通信モードは、動作制御設定、診断用データ、利用量データ、および／または動作データのうち１つ以上を前記呼吸治療装置のメモリから取り出すためのダウンロード動作を含む、請求項７または８に記載の呼吸治療装置。
【請求項１０】
前記治療モードは、ユーザのために呼吸インターフェースへのガス流れを生成するために送風機のモータへ給電することを含む、請求項１〜９のいずれか一項に記載の呼吸治療装置。
【請求項１１】
前記入力電力回路は、検出回路を含み、前記検出回路は、電圧検出器を含む、請求項１〜１０のいずれか一項に記載の呼吸治療装置。
【請求項１２】
前記電圧検出器は、前記電力入力回路によって受容される電力を示す電圧を検出するように構成される、請求項１１に記載の呼吸治療装置。
【請求項１３】
前記コントローラは、前記低電力電源および前記高電力電源のうちいずれか１つを示す信号を受信するように、前記検出回路へ接続される、請求項１１に記載の呼吸治療装置。
【請求項１４】
前記コントローラは、前記電圧検出器によって生成された電圧信号をサンプリングするように、前記検出回路へ接続される、請求項１１に記載の呼吸治療装置。
【請求項１５】
前記コントローラは、検出された電圧と所定の閾値とを比較するように、かつ前記第１の動作モードおよび前記第２の動作モードのうち１つをこの比較に基づいて起動させるように構成され、前記検出された電圧は、前記低電力電源および前記高電力電源のうちいずれかからの電力を示す、請求項１〜１４のいずれか一項に記載の呼吸治療装置。
【請求項１６】
前記コントローラによって前記第２の動作モードを起動させることは、ユーザのためにガス流れを呼吸インターフェースへ生成するために送風機のモータ回路へ供給電力を経路設定するように構成された切替回路の起動を含み、前記切替回路は、前記コントローラへ接続される、請求項１〜１５のいずれか一項に記載の呼吸治療装置。
【請求項１７】
前記切替回路は、半導体スイッチを含む、請求項１６に記載の呼吸治療装置。
【請求項１８】
前記入力電力回路は、前記第１の動作モードおよび前記第２の動作モードにおいて前記コントローラへの給電を行う電圧調整器を含む、請求項１〜１５のいずれか一項に記載の呼吸治療装置。
【請求項１９】
モータを含む送風機をさらに含み、前記モータは、前記モータの速度を調整するように前記コントローラへ接続されたモータ制御回路を含み、前記モータは、前記第２の動作モードにおいて前記コントローラによって起動されたスイッチを介して前記入力電力回路の電源線へさらに接続される、請求項１〜１８のいずれか一項に記載の呼吸治療装置。
【請求項２０】
前記コントローラは、プロセッサとメモリとを含み、前記プロセッサは、前記第１の動作モードおよび前記第２の動作モードにおいて前記呼吸治療装置の動作を制御するようにプログラムされる、請求項１〜１９のいずれか一項に記載の呼吸治療装置。
【請求項２１】
前記低電力電源は、約５ワット〜２０ワットの範囲の電力を生成し、前記高電力電源は、約２０ワット〜１１０ワットの範囲の電力を生成する、請求項１〜２０のいずれか一項に記載の呼吸治療装置。
【請求項２２】
前記低電力電源は、ユニバーサルシリアルバス（ＵＳＢ）電源を含む、請求項１〜２０のいずれか一項に記載の呼吸治療装置。
【請求項２３】
前記低電力電源は、Ｑｉ電源を含む、請求項１〜２０のいずれか一項に記載の呼吸治療装置。
【請求項２４】
呼吸器疾患の治療のための呼吸治療システムであって、前記呼吸治療システムは、
メモリを含む、第１組のコンポーネントと、
患者および／またはヒータへ送達される空気流れを提供するように構成された圧力生成器を含む、第２組のコンポーネントと、
電力インターフェースと、
前記電力インターフェースから利用することが可能な利用可能電力を決定し、決定された利用可能な電力に基づいて、（ａ）非治療モードにおいて動作するように、前記第１組のコンポーネントが電力受信を行うことと、または（ｂ）治療モードにおいて動作するように、前記第１組のコンポーネントおよび前記第２組のコンポーネント双方が電力受信を行うこととを選択的に可能にするように、構成されている、コントローラとを含み、
決定された利用可能な電力が閾値を上回る場合に、前記コントローラは、前記第１組のコンポーネントおよび前記第２組のコンポーネント双方が電力を受容することを可能にするように、構成されている呼吸治療システム。
【請求項２５】
前記第１組のコンポーネントは、ディスプレイをさらに含む、請求項２４に記載の呼吸治療システム。
【請求項２６】
前記第１組のコンポーネントは、通信回路をさらに含む、請求項２４〜２５のいずれか一項に記載の呼吸治療システム。
【請求項２７】
前記電力インターフェースは、ケーブルを受容するように構成される、請求項２４〜２６のいずれか一項に記載の呼吸治療システム。
【請求項２８】
前記ケーブルは、ＵＳＢポートに接続可能である、請求項２７に記載の呼吸治療システム。
【請求項２９】
前記電力インターフェースは、前記呼吸治療システム用の唯一の外部電力インターフェースを提供する、単一の電力インターフェースである、請求項２６〜２８のいずれか一項に記載の呼吸治療システム。
【手続補正２】
【補正対象書類名】明細書
【補正対象項目名】００２０
【補正方法】変更
【補正の内容】
【００２０】
いくつかのバージョンにおいて、第１の動作モードは、呼吸治療装置のプロセッサに対するデータの送信および／または受信のための通信モードを含み得る。通信モードは、１つ以上の動作制御設定を呼吸治療装置のメモリ内に転送させる設定動作を含む。通信モードは、動作制御設定、診断用データおよび／または動作データのうち１つ以上を呼吸治療装置のメモリから取り出すためのダウンロード動作を含み得る。治療モードは、ユーザのために呼吸インターフェースへのガス流れを生成するために送風機のモータへ給電することを含み得る。任意選択的に、入力電力回路は、検出回路を含み得る。検出回路は、電圧検出器を含み得る。電圧検出器は、電力入力回路によって受容される電力を示す電圧を検出するように、構成され得る。コントローラは、低電力電源および高電力電源のうちいずれか１つを示す信号を受信するように、検出回路へ接続され得る。コントローラは、電圧検出器によって生成された電圧信号をサンプリングするように、検出回路へ接続され得る。
【手続補正３】
【補正対象書類名】明細書
【補正対象項目名】００２１
【補正方法】変更
【補正の内容】
【００２１】
いくつかのバージョンにおいて、コントローラは、検出された電圧と所定の閾値とを比較するように構成され得、第１の動作モードおよび第２の動作モードのうち１つをこの比較に基づいて起動させるように構成され得る。検出された電圧は、低電力電源および高電力電源のうちいずれかからの電力を示し得る。コントローラによって第２の動作モードを起動させることは、ユーザのためにガス流れを呼吸インターフェースへ生成するために送風機のモータ回路へ供給電力を経路設定するように構成された切替回路の起動を含み得る。切替回路は、コントローラへ接続され得る。切替回路は、半導体スイッチを含み得る。
【手続補正４】
【補正対象書類名】明細書
【補正対象項目名】００２４
【補正方法】変更
【補正の内容】
【００２４】
本技術のいくつかのバージョンは、呼吸器疾患の治療のための呼吸治療システムを含む。呼吸治療システムは、メモリを含む、第１組のコンポーネントを含み得る。呼吸治療システムは、第２組のコンポーネントを含み得る。この第２組のコンポーネントは、患者および／またはヒータへ送達される空気流れを提供するように構成された圧力生成器を含む。呼吸治療システムは、電力インターフェースを含み得る。呼吸治療システムは、コントローラを含み得る。このコントローラは、電力インターフェースから利用することが可能な利用可能電力を決定し、決定された利用可能な電力に基づいて、（ａ）非治療モードにおいて動作するように、第１組のコンポーネントが電力受信および／またはデータ転送を行うことと、または（ｂ）治療モードにおいて動作するように、第１組のコンポーネントおよび第２組のコンポーネント双方が電力受信および／またはデータ転送を行うこととを選択的に可能にするように、構成される。任意選択的に、コントローラは、決定された利用可能な電力が閾値を上回る場合に第１組のコンポーネントおよび第２組のコンポーネント双方が電力を受容することを可能にするように、構成され得る。
【手続補正５】
【補正対象書類名】明細書
【補正対象項目名】００２５
【補正方法】変更
【補正の内容】
【００２５】
いくつかのバージョンにおいて、第１組のコンポーネントは、ディスプレイをさらに含む。第１組のコンポーネントは、通信回路をさらに含み得る。任意選択に、電力インターフェースは、ケーブルを受容するように構成され得る。ケーブルは、ＵＳＢポートへ接続可能であり得る。電力インターフェースは、呼吸治療システム用の唯一の外部電力インターフェースを提供できるよう、単一の電力インターフェースであり得る。
【手続補正６】
【補正対象書類名】明細書
【補正対象項目名】０２４０
【補正方法】変更
【補正の内容】
【０２４０】
よって、本技術の意図および範囲から逸脱することなく、例示的な実施形態において、において多数の変更例が可能であり、また、他の配置が考案され得ることが理解されるべきである。
なお、本願の出願当初の開示事項を維持するために、本願の出願当初の請求項１〜７６の記載内容を以下に追加する。
（請求項１）
呼吸器疾患に対する治療を提供する呼吸治療装置であって：
第１の電力および第２の電力のうち１つ以上を受容する電力入力回路であって、前記第１の電力は、呼吸治療装置と接続するように適合された低電力電源から得られ、前記第２の電力は、呼吸治療装置と接続するように適合された高電力電源から得られる、電力入力回路と、
電力入力回路へ接続され、低電力電源および高電力電源のうち少なくとも１つを検出するように構成されるコントローラであって、前記コントローラは、低電力電源および高電力電源のうち１つの検出に基づいて呼吸治療装置の第１の動作モードおよび呼吸治療装置の第２の動作モードを選択的に起動させるように、構成され、第１の動作モードは非治療モードであり、第２の動作モードは治療モードである、コントローラと、を含む、
呼吸治療装置。
（請求項２）
前記電力入力回路は、第１の供給インターフェースと、第２の供給インターフェースとを含み、第１の供給インターフェースおよび第２の供給インターフェースのうち少なくとも１つは、無線電力インターフェースを含む、請求項１に記載の呼吸治療装置。
（請求項３）
前記電力入力回路は、低電力電源および高電力電源へ接続するように構成された単一の供給インターフェースを含む、請求項１に記載の呼吸治療装置。
（請求項４）
前記単一の供給インターフェースは、取り外し可能な電力ケーブル用の連結器を含む、請求項３に記載の呼吸治療装置。
（請求項５）
前記単一の供給インターフェースは、取り外し可能な電力ケーブルを通じたデータ通信用にさらに構成される、請求項４に記載の呼吸治療装置。
（請求項６）
前記連結器は、ユニバーサルシリアルバス（ＵＳＢ）コネクタである、請求項５に記載の呼吸治療装置。
（請求項７）
前記第１の動作モードは、呼吸治療装置のプロセッサに対するデータ通信の送信および／または受信のための通信モードを含む、請求項１〜６のいずれか一項に記載の呼吸治療装置。
（請求項８）
前記通信モードは、１つ以上の動作制御設定を呼吸治療装置のメモリ内に転送させる設定動作を含む、請求項７に記載の呼吸治療装置。
（請求項９）
前記通信モードは、動作制御設定、診断用データ、利用量データ、および／または動作データのうち１つ以上を呼吸治療装置のメモリから取り出すためのダウンロード動作を含む、請求項７または８に記載の呼吸治療装置。
（請求項１０）
前記治療モードは、ユーザのために呼吸インターフェースへのガス流れを生成するために送風機のモータへ給電することを含む、請求項１〜９のいずれか一項に記載の呼吸治療装置。
（請求項１１）
前記入力電力回路は、検出回路を含み、前記検出回路は、電圧検出器を含む、請求項１〜１０のいずれか一項に記載の呼吸治療装置。
（請求項１２）
前記電圧検出器は、電力入力回路によって受容される電力を示す電圧を検出するように、構成される、請求項１１に記載の呼吸治療装置。
（請求項１３）
前記コントローラは、低電力電源および高電力電源のうちいずれか１つを示す信号を受信するように、検出回路へ接続される、請求項１１に記載の呼吸治療装置。
（請求項１４）
前記コントローラは、電圧検出器によって生成された電圧信号をサンプリングするように、検出回路へ接続される、請求項１１に記載の呼吸治療装置。
（請求項１５）
前記コントローラは、検出された電圧と所定の閾値とを比較するように、かつ第１の動作モードおよび第２の動作モードのうち１つをこの比較に基づいて起動させるように構成され、前記検出された電圧は、低電力電源および高電力電源のうちいずれかからの電力を示す、請求項１〜１４のいずれか一項に記載の呼吸治療装置。
（請求項１６）
コントローラによって第２の動作モードを起動させることは、ユーザのためにガス流れを呼吸インターフェースへ生成するために送風機のモータ回路へ供給電力を経路設定するように構成された切替回路を含み、前記切替回路は、コントローラへ接続される、請求項１〜１５のいずれか一項に記載の呼吸治療装置。
（請求項１７）
前記切替回路は、半導体スイッチを含む、請求項１６に記載の呼吸治療装置。
（請求項１８）
前記入力電力回路は、第１の動作モードおよび第２の動作モードにおいてコントローラへの給電を行う電圧調整器を含む、請求項１〜１５のいずれか一項に記載の呼吸治療装置。
（請求項１９）
モータを含む送風機をさらに含み、前記モータは、モータの速度を調整するようにコントローラへ接続されたモータ制御回路を含み、前記モータは、第２の動作モードにおいてコントローラによって起動されたスイッチを介して入力電力回路の電源線へさらに接続される、請求項１〜１８のいずれか一項に記載の呼吸治療装置。
（請求項２０）
前記コントローラは、プロセッサとメモリとを含み、前記プロセッサは、第１の動作モードおよび第２の動作モードにおいて呼吸治療装置の動作を制御するようにプログラムされる、請求項１〜１９のいずれか一項に記載の呼吸治療装置。
（請求項２１）
前記低電力電源は、約５ワット〜２０ワットの範囲の電力を生成し、前記高電力電源は、約２０ワット〜１１０ワットの範囲の電力を生成する、請求項１〜２０のいずれか一項に記載の呼吸治療装置。
（請求項２２）
前記低電力電源は、ユニバーサルシリアルバス（ＵＳＢ）電源を含む、請求項１〜２０のいずれか一項に記載の呼吸治療装置。
（請求項２３）
前記低電力電源は、Ｑｉ電源を含む、請求項１〜２０のいずれか一項に記載の呼吸治療装置。
（請求項２４）
呼吸器疾患の治療のための呼吸治療システムであって、前記呼吸治療システムは：
メモリを含む、第１組のコンポーネントと、
患者および／またはヒータへ送達される空気流れを提供するように構成された圧力生成器を含む、第２組のコンポーネントと、
電力インターフェースと、
電力インターフェースから利用することが可能な利用可能電力を決定することと、決定された利用可能な電力に基づいて選択的に（ａ）非治療モードにおいて動作するように、第１組のコンポーネントが電力受信を行うこと、または（ｂ）治療モードにおいて動作するように、第１組のコンポーネントおよび第２組のコンポーネント双方が電力受信を行うことを可能にすることとを行うように、構成される、コントローラと、を含み、
決定された利用可能な電力が閾値を上回る場合に、前記コントローラは、第１組のコンポーネントおよび第２組のコンポーネント双方が電力を受容することを可能にするように、構成される、呼吸治療システム。
（請求項２５）
前記第１組のコンポーネントは、ディスプレイをさらに含む、請求項２４に記載の呼吸治療システム。
（請求項２６）
前記第１組のコンポーネントは、通信回路をさらに含む、請求項２４〜２５のいずれか一項に記載の呼吸治療システム。
（請求項２７）
前記電力インターフェースは、ケーブルを受容するように構成される、請求項２４〜２６のいずれか一項に記載の呼吸治療システム。
（請求項２８）
前記ケーブルは、ＵＳＢポートに接続可能である、請求項２７に記載の呼吸治療システム。
（請求項２９）
前記電力インターフェースは、呼吸治療システム用の外部電力インターフェースのみを提供する、単一の電力インターフェースである、請求項２６〜２８のいずれか一項に記載の呼吸治療システム。
（請求項３０）
ユニバーサルシリアルバスケーブルおよびユニバーサルシリアルバス電源を用いて呼吸治療デバイスの作動モードを給電することを含む呼吸治療デバイスのための方法であって、前記作動モードは、呼吸治療デバイスのデータにアクセスしかつ／またはダウンロードすることを含む、方法。
（請求項３１）
前記ユニバーサルシリアルバス電源は、低電力電源である、請求項３０の方法。
（請求項３２）
前記作動モードは、非治療作動モードである、請求項３０〜３１のいずれか一項に記載の呼吸治療デバイスの方法。
（請求項３３）
ユニバーサルシリアルバスケーブルおよびユニバーサルシリアルバス電源によって作動モードに給電されるように構成される呼吸治療装置であって、前記作動モードは、呼吸治療装置のメモリから、データにアクセスしかつ／またはデータをダウンロードすることを含む、方法。
（請求項３４）
前記ユニバーサルシリアルバス電源は、低電力電源であり、前記呼吸治療装置は、ユニバーサルシリアルバス電源と接続されるユニバーサルシリアルバスケーブルへの接続のための外部インターフェースを含む、請求項３３に記載の呼吸治療装置。
（請求項３５）
前記作動モードは、非治療作動モードである、請求項３３〜３４のいずれか一項に記載の呼吸治療装置。
（請求項３６）
無線電力伝送装置を用いて呼吸治療デバイスの作動モードを給電することを含む呼吸治療デバイスのための方法であって、前記作動モードは、呼吸治療デバイスのデータにアクセスすることを含む、方法。
（請求項３７）
無線電力伝送装置によって作動モードに給電されるように構成される呼吸治療装置であって、前記作動モードは、呼吸治療装置のメモリにアクセスすることを含む、方法。